(57)【要約】      （修正有）【課題】患者及び医師間における診察時の感染を予防し、かつ、患者の身長等に合わせて移動可能なパーテーション及びこのパーテーションを備えるルームユニットを提供する。【解決手段】ルームユニットＵは、壁１１、天井１２及び床１３を有する室１と、室１の天井１２及び床１３の間に延びて室１を第１室１Ａ及び第２室１Ｂに分割するパーテーション２とを備える。第１室１Ａ及び第２室１Ｂの壁１１にはそれぞれ入退室用の出入り口１４が設けられる。パーテーション２は、上下方向Ｙに移動するカウンター３と、カウンター３に固定された透過性のプレート４と、プレート４に設けられた貫通孔と、カウンター３及びプレート４を一体的に上下方向Ｙに移動させる昇降装置５とを備える。【選択図】図２
0003228006.tif 000002
【実用新案登録請求の範囲】
【請求項１】
上下方向に移動するカウンターと、前記カウンターに固定された透過性のプレートと、前記プレートに設けられた貫通孔とを備えるパーテーションであって、
前記カウンター及び前記プレートを一体的に前記上下方向に移動させる昇降装置をさらに備え、
前記プレートは、その上端が幕板に当接し、前記カウンターの移動に伴い前記幕板に対して前記上下方向に摺動することを特徴とするパーテーション。
【請求項２】
前記カウンターは、前記プレートの下端に位置するとともに、前記プレートの一方の面から他方の面へと摺動する収納箱を備えることを特徴とする請求項１記載のパーテーション。
【請求項３】
壁、天井及び床を有する室と、前記室の前記天井及び前記床の間に延びて前記室を分割するパーテーションとを備えるルームユニットであって、
前記パーテーションは、上下方向に移動するカウンターと、前記カウンターに固定された透過性のプレートと、前記プレートに設けられた貫通孔と、前記カウンター及び前記プレートを一体的に前記上下方向に移動させる昇降装置とを備え、
前記プレートは、その上端が前記天井に固定された幕板に当接し、前記カウンターの移動に伴い前記幕板に対して前記上下方向に摺動し、
分割された前記室の前記壁には出入り口が設けられることを特徴とするルームユニット。
【請求項４】
分割された前記室の少なくとも一つは陰圧に保持されることを特徴とする請求項３記載のルームユニット。
【考案の詳細な説明】
【技術分野】
【０００１】
この考案は、例えば診察の際に医師等と患者の間に配置されるパーテーション及びこのパーテーションを備えるルームユニットに関し、より詳細には、医師等の手を挿入するための貫通孔を備えるパーテーション及びこのパーテーションを備えるルームユニットに関する。
【背景技術】
【０００２】
従来、診察の際に患者から医師に感染するのを防止するために医師と患者との間に壁を設けることが知られている。壁には診療窓を設け、診療窓を介して医師又は看護師による診察や医療措置が行われる。したがって、医師や看護師は患者が存する部屋に入室することなく診察等を行うことができ、患者からの感染を予防することができる。また、患者が存する部屋には無菌化された清浄空気が整流されて供給される。
【先行技術文献】
【特許文献】
【０００３】
【特許文献１】特開平６−０２３０００号公報
【考案の概要】
【考案が解決しようとする課題】
【０００４】
しかしながら、特許文献１によれば、壁に設けられた診療窓を介して内診、血圧等の測定、注射及び点滴の措置を行うため、この診療窓は少なくとも医師等の両腕が挿入できるだけの大きさが必要である。したがって、その開口面積は比較的大きく、この診療窓を介して患者から医師等に感染する可能性がある。また、診察窓は固定されているから、特に着座した時には患者の高さに合わせて診察することが困難である。
【０００５】
この考案では、患者及び医師間における診察時の感染を予防し、かつ、患者の身長等に合わせて移動可能なパーテーション及びこのパーテーションを備えるルームユニットを提供することを課題とする。
【課題を解決するための手段】
【０００６】
この考案は、パーテーションに関する第１の考案と、ルームユニットに関する第２の考案とを有する。
第１の考案は、上下方向に移動するカウンターと、前記カウンターに固定された透過性のプレートと、前記プレートに設けられた貫通孔とを備えるパーテーションであって、前記カウンター及び前記プレートを一体的に前記上下方向に移動させる昇降装置をさらに備え、前記プレートは、その上端が幕板に当接し、前記カウンターの移動に伴い前記幕板に対して前記上下方向に摺動することを特徴とする。
プレートには医師等が腕を挿入することができる貫通孔を備えるので、医師等が患者の診察等を行う際の空気の流入を最小限に抑えることができ、患者から医師等への感染のリスクを低減することができる。また、プレートを上下方向に移動させることができるので、患者に応じて高さ調整することができより患者に近い位置から腕を入れて診察等をすることができる。
【０００７】
前記カウンターは、前記プレートの下端に位置するとともに、前記プレートの一方の面から他方の面へと摺動する収納箱を備えることを特徴とする。
収納箱を介して医療器具等の移動ができるので、より一層感染のリスクを低減することができる。
【０００８】
壁、天井及び床を有する室と、前記室の前記天井及び前記床の間に延びて前記室を分割するパーテーションとを備えるルームユニットであって、前記パーテーションは、上下方向に移動するカウンターと、前記カウンターに固定された透過性のプレートと、前記プレートに設けられた貫通孔と、前記カウンター及び前記プレートを一体的に前記上下方向に移動させる昇降装置とを備え、前記プレートは、その上端が前記天井に固定された幕板に当接し、前記カウンターの移動に伴い前記幕板に対して前記上下方向に摺動し、分割された前記室の前記壁には出入り口が設けられることを特徴とする。
プレートには医師等が腕を挿入することができる貫通孔を備えるので、医師等が患者の診察等を行う際の空気の流入を最小限に抑えることができ、患者から医師等への感染のリスクを低減することができる。また、プレートを上下方向に移動させることができるので、患者に応じて高さ調整することができより患者に近い位置から腕を入れて診察等をすることができる。これらをユニット化することによって容易に設置可能な診察室を提供することができる。
【０００９】
分割された前記室の少なくとも一つは陰圧に保持されることを特徴とする。
少なくとも患者側の室を陰圧にすることによってより一層感染のリスクを低減することができる。
【考案の効果】
【００１０】
この考案のパーテーション及びパーテーションを備えるルームユニットによれば、パーテーションに腕が挿入可能な程度の貫通孔を設けるので、大きな空隙が形成されることがなく、感染のリスクを低減することができる。また、パーテーションを上下方向に移動することができるので、患者の身長等に合わせてパーテーションの位置を調整することができ、医師等による診察を容易に行うことができる。
【図面の簡単な説明】
【００１１】
【図１】ルームユニットの平面図。
【図２】図１のＩＩ−ＩＩ線断面図。
【図３】図２のＩＩＩ−ＩＩＩ線断面図。
【図４】カウンターの一部拡大図。
【考案を実施するための形態】
【００１２】
図１〜図３を参照すれば、ルームユニットＵは、壁１１、天井１２及び床１３を有する室１と、室１の天井１２及び床１３の間に延びて室１を第１室１Ａ及び第２室１Ｂに分割するパーテーション２とを備える。第１室１Ａ及び第２室１Ｂの壁１１にはそれぞれ入退室用の出入り口１４が設けられる。この実施形態において出入り口１４として外開きのドアを用いる。また、このドアはダンパー機構により閉まる方向に付勢される。
【００１３】
特に図２を参照すれば、第１室１Ａ及び第２室１Ｂの天井１２には通気口１５を設け、図示しない吸引機により第１室１Ａ及び第２室１Ｂをそれぞれ吸気して陰圧にしている。また、第１室１Ａ及び第２室１Ｂの壁１１には通気スリット１６が複数設けられる。通気スリット１６は、壁１１の上部及び下部のそれぞれに設けられる。なお、この実施形態では第１室１Ａ及び第２室１Ｂのいずれも陰圧にしているが、患者が入室するいずれか一方のみを陰圧にするようにしてもよい。少なくとも患者が入る室を陰圧にすることによって、他方の室への空気の流入を防ぐことができ患者から医師等への感染のリスクを低減することができる。
【００１４】
特に図３を参照すれば、パーテーション２は、上下方向Ｚに移動するカウンター３と、カウンター３に固定された透過性のプレート４と、プレート４に設けられた貫通孔４１と、カウンター３及びプレート４を一体的に上下方向Ｚに移動させる昇降装置５とを備える。プレート４としては、例えば透明のポリカーボネート板を用いることができる。透過性のプレート４を用いることによって、プレート４を介して患者と医師等が対座した際に、互いに相手を視認することができ、医師等にとっては患者の様子を観察することもできる。
【００１５】
プレート４の貫通孔４１は横方向Ｙに離間して二つ設けられ、医師等がそれぞれの孔に片腕ずつ挿入可能としている。この実施形態において、貫通孔４１の直径は約１５０ｍｍであり、二つの貫通孔４１のピッチは約３５０ｍｍとしている。貫通孔４１には図示しない遮蔽膜をさらに設けることもできる。遮蔽膜として切込みが形成された弾性変形可能なエラストマー等を用いることができる。また、使用時に開放し、不使用時に閉鎖することができるシャッター機能を備えることもできる。貫通孔４１を遮蔽する遮蔽膜を設けることによって、第１室１Ａ及び第２室１Ｂ間における空気の流入を予防することができ、より一層感染のリスクを低減することができる。
【００１６】
上記のようなプレート４は、その上端４Ａが天井１２に固定された幕板６に当接し、カウンター３の移動に伴い幕板６に対して上下方向Ｚに摺動する。より詳細には、幕板６は一対の上下方向Ｚに延びる板材によって構成され、これら板材の間にプレート４の上端４Ａが保持される（図２参照）。幕板６の内側には図示しないパッキンが設置され、プレート４が摺動可能であり、かつ、高気密に保持されるようにしている。
【００１７】
併せて図４を参照すれば、カウンター３には横方向Ｙに延びる溝３１が形成され、この溝３１にプレート４の下端４Ｂが挿入される。この実施形態において溝３１の深さは約５ｍｍとしている。このようにプレート４の下端４Ｂをカウンター３に固定することによって、カウンター３の上下方向Ｚの移動に伴いプレート４も上下方向Ｚに移動することができる。
【００１８】
上記のようなプレート４は昇降装置５の操作により、上下方向Ｚに移動することができるので、例えば子供の患者の場合には、プレート４を下降させ貫通孔４１を低い位置に設定することができるし、背の高い大人の場合にはプレート４を上昇させ貫通孔４１を高い位置に設定することができる。このようにプレート４の高さを調整することによって、医師等はより患者に近い位置から貫通孔４１を介して患者側に腕を挿入することができ、丁寧かつ確実な診察をすることができる。
【００１９】
カウンター３には、プレート４の下端４Ｂに位置するとともに、プレート４の一方の面から他方の面へと摺動する収納箱７を備える。カウンター３には、収納箱７を担持するための凹部３２が形成される。凹部３２は、上下方向Ｚにおける寸法が収納箱７の寸法よりもわずかに大きく、奥行き方向Ｘにおける寸法が収納箱７の寸法の約２倍であり、横方向Ｙにおける寸法は収納箱７とほぼ等しい。プレート４は凹部３２の奥行き方向Ｘのほぼ中央に配置される。
【００２０】
収納箱７は凹部３２内において、プレート４の下を奥行き方向Ｘに移動可能である。すなわち、収納箱７は第１室１Ａ及び第２室１Ｂ間を往来するように移動することができる。したがって、例えば第１室１Ａに医師等が入り、第２室１Ｂに患者が入った場合には、注射器等の器具を収納箱７に入れ、医師側の第１室１Ａから患者側の第２室１Ｂへと移動させることができる。このように器具等を移動させる場合であっても第１室１Ａ及び第２室１Ｂ間における空気の流入を最低限に抑えることができ、より一層感染のリスクを低減させることができる。なお、医師側の第１室１Ａから患者側の第２室１Ｂへと移動し使用された器具等は、そのまま第２室１Ｂに放置し、患者が退室し消毒が終わってから回収することもできる。
【００２１】
凹部３２は、例えば医師側の第１室１Ａにおいて、収納箱７の出し入れがしやすいように、開口３３を設けることができる。また、収納箱７の上面には図示しないパッキンを設け、プレート４の下端４Ｂと収納箱７の上面との間をより高気密に保持できるようにすることができる。この場合のパッキンは、収納箱７がプレート４の下端４Ｂを摺動可能なものとすることが望ましい。
【００２２】
上記のようなルームユニットＵによれば、医師等と患者とを第１室１Ａ及び第２室１Ｂに隔離することができるので患者から医師等への感染リスクを低減することができ、より安全に医療行為を行うことができる。また、第１室１Ａ及び第２室１Ｂにそれぞれ出入り口１４を設けることによって、診察前における接触も防止することができる。上記のようなルームユニットＵは、壁１１、天井１２及び床１３にパネルを用いユニット化することによって、簡易に設置することができる。また、大掛かりな工事を必要とせず、広いスペースを確保する必要もないので、通常の業務を長時間にわたって妨げることなく、病室や診察室の一角に設置することができる。
【００２３】
ルームユニットＵは、この実施形態に記載されている材料のほかに、この種の分野において通常用いられている、各種の公知の材料を制限なく用いることができる。また、記載されている寸法は一例を示したものであって適宜変更可能である。
【符号の説明】
【００２４】
Ｕ    ルームユニット
１    室
１Ａ  第１室
１Ｂ  第２室
２    パーテーション
３    カウンター
４    プレート
４Ａ  上端
４Ｂ  下端
５    昇降装置
６    幕板
７    収納箱
１１    壁
１２    天井
１３    床
１４    出入り口
１５    通気口
１６    通気スリット
３１    溝
３２    凹部
３３    開口
４１    貫通孔
【図１】
0003228006.tif 000003
【図２】
0003228006.tif 000004
【図３】
0003228006.tif 000005
【図４】
0003228006.tif 000006